(57)【要約】【課題】  カラー印刷装置と排紙処理装置付きモノクロ印刷装置で印刷された印刷物を、ユーザが容易に並び替え処理を行うことを可能にした排紙処理制御方法を提供することを目的とする。【解決手段】  カラーページとモノクロページが混在した印刷ジョブを、カラーページはカラー印刷装置で印刷し、モノクロページは排紙処理装置付きモノクロ印刷装置で印刷し、排紙処理装置は、ユーザがカラーページを差し込むページ毎に排紙処理を行う。【選択図】  図３
2009026208.tif 000002
【特許請求の範囲】
【請求項１】
カラー印刷装置および排紙処理装置付きモノクロ印刷装置および情報処理装置が通信媒体を介して相互に接続される環境において、
カラーページをカラー印刷装置で印刷する手段と、モノクロページを排紙処理装置付きモノクロ印刷装置で印刷する手段と、排紙処理装置に排紙処理を行わせる排紙制御手段と、カラーページとモノクロページが混在した印刷データをカラーページのみで構成されたジョブを生成する手段と、カラーページとモノクロページが混在した印刷データをモノクロページと該排紙制御手段で構成されたジョブを生成する手段を有し、
カラーページとモノクロページが混在した印刷ジョブを、カラーページはカラー印刷装置で印刷し、モノクロページは排紙処理装置付きモノクロ印刷装置で印刷し、排紙処理装置は、ユーザがカラーページを差し込むページ毎に排紙処理を行うことを特徴とする排紙処理制御方法。
【発明の詳細な説明】
【技術分野】
【０００１】
本発明は、1つの印刷物を複数の印刷装置で印刷したときの、排紙処理方法に関している。
【背景技術】
【０００２】
印刷装置の使用形態の一つとして、印刷装置をネットワークに接続し、同一のネットワーク環境に接続されたパーソナルコンピュータなどの情報処理装置より印刷する方法が存在する。ネットワークには複数の印刷装置が接続されている。同一ネットワーク上にモノクロ印刷装置とカラー印刷装置が接続されることもある。
【０００３】
また、印刷装置に排紙処理装置が接続され、印刷装置で印刷された印刷物に対して、排紙処理を行うものがある。排紙処理とは、ステイプル処理やソート処理を指す。
【０００４】
従来例としては、例えば、モノクロ・カラーそれぞれの出力が印刷マージ装置に送られ、印刷マージ装置で調合する。印刷マージ装置は印刷調合監視サーバとネゴシエーションして、調合結果が正しいかどうかチェックするものがある（特許文献１参照）。又、排紙処理装置は、他の印刷機で印刷された用紙を取り込む。排紙処理用トレイにモノクロおよびカラーで印刷された用紙をセットすると、排紙処理装置が差し込み処理を行うものがある（特許文献２参照）。
【特許文献１】特開２００４−１６４５８１号公報
【特許文献２】特開２００３−１０７８１７号公報
【発明の開示】
【発明が解決しようとする課題】
【０００５】
一般的に、カラー印刷はモノクロ印刷よりも印刷コストがかかる。従って、ユーザは、モノクロページはモノクロ印刷装置で印刷することで、コストダウンを図る。
【０００６】
しかしながら、ユーザが、カラーページとモノクロページが混在した印刷ジョブを、カラーページはカラー印刷処理装置で、モノクロページはモノクロ印刷装置でそれぞれ印刷した場合、ユーザは、それぞれの印刷装置で印刷された印刷物を、印刷ジョブのページ順に並び替えなければならない。印刷物をページ順に並び替える処理は、ユーザが行うので、人為的なミスが発生しやすい。
【０００７】
本発明は、このような問題点に鑑みてなされたものであって、カラー印刷装置と排紙処理装置付きモノクロ印刷装置で印刷された印刷物を、ユーザが容易に並び替え処理を行うことを可能にした排紙処理制御方法を提供することを目的とする。
【課題を解決するための手段】
【０００８】
上記目的を達成するために本発明は、
カラー印刷装置および排紙処理装置付きモノクロ印刷装置および情報処理装置が通信媒体を介して相互に接続される環境において、
カラーページをカラー印刷装置で印刷する手段と、モノクロページを排紙処理装置付きモノクロ印刷装置で印刷する手段と、排紙処理装置に排紙処理を行わせる排紙制御手段と、カラーページとモノクロページが混在した印刷データをカラーページのみで構成されたジョブを生成する手段と、カラーページとモノクロページが混在した印刷データをモノクロページと該排紙制御手段で構成されたジョブを生成する手段を有し、
カラーページとモノクロページが混在した印刷ジョブを、カラーページはカラー印刷装置で印刷し、モノクロページは排紙処理装置付きモノクロ印刷装置で印刷し、排紙処理装置は、ユーザがカラーページを差し込むページ毎に排紙処理を行う。
【発明の効果】
【０００９】
以上説明したように、本発明に係る発明によれば、
カラー印刷装置および排紙処理装置付きモノクロ印刷装置および情報処理装置が通信媒体を介して相互に接続される環境において、
カラーページをカラー印刷装置で印刷する手段と、モノクロページを排紙処理装置付きモノクロ印刷装置で印刷する手段と、排紙処理装置に排紙処理を行わせる排紙制御手段と、カラーページとモノクロページが混在した印刷データをカラーページのみで構成されたジョブを生成する手段と、カラーページとモノクロページが混在した印刷データをモノクロページと該排紙制御手段で構成されたジョブを生成する手段を有し、
カラーページとモノクロページが混在した印刷ジョブを、カラーページはカラー印刷装置で印刷し、モノクロページは排紙処理装置付きモノクロ印刷装置で印刷し、排紙処理装置は、ユーザがカラーページを差し込むページ毎に排紙処理を行うことにより、
ユーザは、モノクロ印刷装置で印刷されたモノクロ印刷ページの間に、カラー印刷装置で印刷されたカラーページを、容易に差し込むことができた。
【発明を実施するための最良の形態】
【００１０】
以下、添付図面に従って本発明にかかる実施形態を詳細に説明する。
【００１１】
図1は本発明の実施の形態に係るシステム全体を示したものである。
【００１２】
101はカラー印刷装置である。カラー印刷装置101はネットワーク104に接続されており、情報処理装置105で生成された印刷ジョブを、ネットワーク経由で受信する。印刷ジョブは、通常、カラー印刷装置101で解釈可能なプリンタ記述言語(PDL)と呼ばれる形式のデータで記述される。印刷装置に最適なPDLを生成するためには、通常、プリンタドライバと呼ばれる専用ソフトウェアを情報処理装置にインストールする。各ユーザは、プリンタドライバを利用してカラー印刷装置101に印刷する。
【００１３】
102はモノクロ印刷装置である。モノクロ印刷装置102はネットワーク104に接続されており、情報処理装置105で生成された印刷ジョブを、ネットワーク経由で受信する。また、モノクロ印刷装置102には、排紙処理装置103が接続されている。排紙処理装置103は、モノクロ印刷装置102で印刷された印刷物を、ステイプル処理やソート処理などの排紙処理を行う。ユーザは、情報処理装置105にインストールしたモノクロ印刷装置102用のプリンタドライバで、排紙処理装置103の排紙処理方法を指定することができる。
【００１４】
図2は、情報処理装置105にインストールしたプリンタドライバ設定画面である。201はプリンタドライバの設定画面である。設定画面201は、ユーザが描画ソフトやワープロソフトなどのアプリケーションで印刷データを作成して印刷するときに、情報処理装置105のディスプレイに表示される。202は、モノクロページの印刷データの送信先を指定するための送信先モノクロプリンタ選択カラムである。203は、送信先モノクロプリンタ選択カラム202で指定されたプリンタの詳細設定を行うためのプロパティボタンである。プロパティボタン203を押下すると、詳細設定ウインドウが開き、プリンタ固有の画像処理等を設定することができる。204は部数を指定する部数設定カラムである。205は、印刷ジョブの中から印刷ページを指定するための印刷ページ指定カラムである。206は、カラーページの印刷データの送信先を指定するための送信先カラープリンタ選択カラムである。207は、送信先モノクロプリンタ選択カラム206で指定されたプリンタの詳細設定を行うためのプロパティボタンである。
【００１５】
印刷データを作成して印刷を行うユーザは、印刷データにモノクロページとカラーページが混在している場合、送信先モノクロプリンタ選択カラム202でモノクロプリンタを指定し、送信先カラープリンタ選択カラム206でカラープリンタを指定する。モノクロプリンタには、排紙処理装置が接続されているものを選択する。
【００１６】
図3は本発明の排紙処理方法を含む印刷ジョブ生成処理のフローチャートである。
【００１７】
301：ユーザは、印刷データを生成し、送信先モノクロプリンタ選択カラム202で排紙処理装置付きモノクロプリンタを選択し、送信先カラープリンタ選択カラム206でカラープリンタを選択し、OKボタン205を押下する。プリンタドライバは、印刷データの各ページをチェックし、カラーページが含まれるかどうか調べる。カラーページが含まれるならばステップ302へ進む。カラーページが含まれなければステップ303へ進む。
【００１８】
302：プリンタドライバは、カラーのページを抽出し、送信先カラープリンタ選択カラム206で指定されたカラープリンタに適合する、カラーページで構成されるジョブを生成する。
【００１９】
303：プリンタドライバは、送信先カラープリンタ選択カラム202で指定されたモノクロプリンタに適合する印刷ジョブを生成する。
【００２０】
304：プリンタドライバは、ステップ302で生成した印刷ジョブを、送信先カラープリンタ選択カラム206で指定されたカラープリンタに送信する。
【００２１】
305：プリンタドライバは、印刷データにモノクロページが含まれるかどうか調べる。モノクロページがなければ処理を終了する。モノクロページがあればステップ306へ進む。
【００２２】
306：プリンタドライバは、モノクロのページを抽出し、送信先カラープリンタ選択カラム202で指定されたモノクロプリンタに適合する、モノクロページで構成されるジョブを生成する。その際、カラーページの部分に、排紙処理装置に対してソート処理を行わせるコマンドを挿入する。
【００２３】
307：プリンタドライバは、ステップ306で生成した印刷ジョブを、送信先モノクロプリンタ選択カラム202で指定されたモノクロプリンタに送信する。
【００２４】
上記処理フローを具体例で説明する。印刷データが20ページで構成されており9ページおよび12ページがカラーページで構成され、その他のページがモノクロページで構成される場合、9ページおよび12ページの部分にソート処理を行わせるコマンドを挿入する。ソート処理のコマンドを受信した排紙処理装置は、1〜8ページを排紙処理し終えると、ソート処理を行う。ビンソート機能がある排紙処理装置であれば、次ページ以降を他のビンに出力する処理を行う。シフトソート機能がある排紙処理装置であれば、次ページ以降を左右にシフトさせて印刷ページを出力する。排紙処理装置は、10〜11ページを排紙処理し終えると、再びソート処理を行う。排紙処理装置は、13〜20ページを排紙処理し終えて、すべての処理を終了する。ユーザは、カラープリンタで出力された9ページおよび12ページを取り出し、排紙処理装置に出力されたモノクロページの、ソート処理された間にカラーページを差し込むことで、もとの印刷データ順に並んだ印刷物を完成させることができる。
【図面の簡単な説明】
【００２５】
【図１】本発明の実施の形態に係るシステム全体を示したものである。
【図２】本発明の排紙処理方法に係るプリンタドライバの設定画面である。
【図３】本発明の排紙処理方法を含む印刷ジョブ生成処理のフローチャートである。
【符号の説明】
【００２６】
101  カラー印刷装置
102  モノクロ印刷装置
103  排紙処理装置
104  ネットワーク
105  情報処理装置
201  プリンタドライバの設定画面
202  送信先モノクロプリンタ選択カラム
203  送信先モノクロプリンタ選択カラム用プロパティボタン
204  部数設定カラム
205  印刷ページ指定カラム
206  送信先カラープリンタ選択カラム
207  送信先カラープリンタ選択カラム用プロパティボタン
【図１】
2009026208.tif 000003
【図２】
2009026208.tif 000004
【図３】
2009026208.tif 000005